(57)【要約】  打球面の表側と裏側とで異なる性能を簡単に得ることができるようにすること。本発明のラケット（１０）は、環状に延在するフレーム（１３）と、グリップ（１１）と、フレームに張設されて表裏両面を打球面（１５）として形成するストリング（１４）とを備えている。フレームは、その延在方向に直交する面で断面視したときに、表面部（２０）と裏面部（２１）とが非対称形状に形成されている。このような非対称形状とすることで、打球面の表面と裏面とでシャトルを打撃した際の打撃に関する性能を変えることができ、グリップを持ち替えるだけで、１本のラケットで異なる２種類の性能を得ることができる。
2016195035.tif 000002
【特許請求の範囲】
【請求項１】
環状に延在するフレームと、グリップと、前記フレームと前記グリップとを連結するシャフトと、前記フレームに張設されて表裏両面を打球面として形成するストリングとを備えたバドミントンラケットであって、
前記フレームは、その延在方向に直交する面で断面視したときに、表面部と裏面部とが非対称形状に形成されていることを特徴とするバドミントンラケット。
【請求項２】
前記フレームには、前記ストリングが挿通される挿通孔が形成され、
前記挿通孔の中心軸位置に対し、前記表面部と前記裏面部とは表裏方向の突出量が異なることを特徴とする請求項１に記載のバドミントンラケット。
【請求項３】
前記表面部及び前記裏面部の何れか一方は、前記打球面の面方向に略平行な平面部を備え、前記表面部及び前記裏面部の何れか他方は、表裏方向に膨出する曲面部を備えていることを特徴とする請求項１または請求項２に記載のバドミントンラケット。
【請求項４】
前記フレームは、表面部を形成する表面側形成体と、裏面部を形成する裏面側形成体とを備え、前記表面側形成体及び前記裏面側形成体の何れか一方は、何れか他方と異なる材料を含んで形成されていることを特徴とする請求項１から請求項３の何れかに記載のバドミントンラケット。
【請求項５】
前記フレーム及び前記シャフトの少なくとも一方は、前記打球面の表裏を識別するための第１着色部及び第２着色部を備え、
前記打球面と非平行且つ非直交となる所定の角度で見たときに、前記第１着色部が見えつつ前記第２着色部が隠れる状態となり、この状態から前記打球面を反転したときに、前記第２着色部が見えつつ前記第１着色部が隠れる状態となることを特徴とする請求項１から請求項４の何れかに記載のバドミントンラケット。
【発明の詳細な説明】
【技術分野】
【０００１】
本発明は、表裏両面の打球面でシャトルを打撃することができるバドミントンラケットに関する。
【背景技術】
【０００２】
バドミントンにあっては、プレーヤがラケットをスイングしてシャトルを打撃することによってプレーされる。ラケットは、ループ状に形成されたフレームを備え、フレームの内側にストリングが張設されて打球面（フェース）が形成される（特許文献１参照）。【０００３】
バドミントンのプレーでは、打球面の表裏両面においてシャトルが打撃される。これは、フォアハンドとバックハンドとで打球面の表裏が反対になったり、プレーヤがグリップを適宜持ち替えることによって打球面の表裏が反対になったりするからである。
【先行技術文献】
【特許文献】
【０００４】
【特許文献１】特開２０１５−８８９０号公報
【発明の概要】
【発明が解決しようとする課題】
【０００５】
従来のバドミントンラケットのフレームにあっては、特許文献１における図３〜図９の断面図に示すように、表面部と裏面部とが対称となる形状に形成されている。従って、打球面の表側で打っても裏側で打っても、シャトルの打撃に関する各種性能（例えば、シャトルの球持ちや弾き等）が同じになる。【０００６】
一方、前記各種性能についての嗜好は、年齢や性別、技術レベルなど、プレーヤ毎に異なるものであり、同一プレーヤであっても、変化する季節や体調などによって異なることとなる。従って、従来は、様々な嗜好に対応するためには、嗜好に応じて性能が異なるラケットを用意する負担が強いられる、という問題があった。【０００７】
本発明は、以上のような実情に鑑みてなされたもので、異なる性能を簡単に得ることができるバドミントンラケットを提供することを目的とする。
【課題を解決するための手段】
【０００８】
本発明のバドミントンラケットは、環状に延在するフレームと、グリップと、前記フレームと前記グリップとを連結するシャフトと、前記フレームに張設されて表裏両面を打球面として形成するストリングとを備えたバドミントンラケットであって、前記フレームは、その延在方向に直交する面で断面視したときに、表面部と裏面部とが非対称形状に形成されていることを特徴とする。【０００９】
この構成によれば、表面部と裏面部との断面形状が非対称となって異なるので、打球面の表面と裏面とでシャトルを打撃した際の当該打撃に関する性能を変えることができる。これにより、グリップを持ち替えるだけで、１本のラケットで異なる２種類の性能を簡単に発揮することができる。【００１０】
本発明において、前記フレームには、前記ストリングが挿通される挿通孔が形成され、前記挿通孔の中心軸位置に対し、前記表面部と前記裏面部とは表裏方向の突出量が異なるとよい。【００１１】
また、本発明において、前記表面部及び前記裏面部の何れか一方は、前記打球面の面方向に略平行な平面部を備え、前記表面部及び前記裏面部の何れか他方は、表裏方向に膨出する曲面部を備えているとよい。なお、ここでの平面部は、曲面部に比べて曲率が極めて小さくなるような曲面形状を含む。このように表面部と裏面部との断面形状を表裏反転させても同じにならないようにすることで、打撃に関する性能について様々な設計を行うことができる。【００１２】
また、本発明において、前記フレームは、表面部を形成する表面側形成体と、裏面部を形成する裏面側形成体とを備え、前記表面側形成体及び前記裏面側形成体の何れか一方は、何れか他方と異なる材料を含んで形成されているとよい。この構成によれば、表面側と裏面側との材料の違いによっても、表面と裏面とで打撃に関する性能を変えることができ、当該性能をより高めたり、性能についてのバリエーションをより増やしたりすることができる。【００１３】
また、本発明において、前記フレーム及び前記シャフトの少なくとも一方は、前記打球面の表裏を識別するための第１着色部及び第２着色部を備え、前記打球面と非平行且つ非直交となる所定の角度で見たときに、前記第１着色部が見えつつ前記第２着色部が隠れる状態となり、この状態から前記打球面を反転したときに、前記第２着色部が見えつつ前記第１着色部が隠れる状態となるとよい。この構成によれば、第１着色部及び第２着色部が見えるか否かによって、プレーヤが打球面の表裏を簡単に識別することができ、何れの打球面で打球するかを容易に選択することができる。
【発明の効果】
【００１４】
本発明によれば、フレームの表面部と裏面部とが非対称となる断面形状となるので、打球面の表側と裏側とで異なる性能を簡単に得ることができる。
【図面の簡単な説明】
【００１５】
【図１】本発明の実施の形態に係るラケットの外観図であり、図１Ａは、前記ラケットの背面図、図１Ｂは、前記ラケットの側面図である。
【図２】フレームの形状を説明するための図１のＡ−Ａ線概略断面図である。
【図３】フレームの形状を説明するための図１のＢ−Ｂ線概略断面図である。
【図４】フレームの材料を説明するための図１のＢ−Ｂ線概略断面図である。
【図５】前記ラケットの着色を説明するための部分背面図である。
【図６】前記ラケットの着色を説明するための部分側面図である。
【図７】図６のラケットを反転させた状態を示す部分側面図である。
【図８】前記ラケットの着色を説明するための部分斜視図である。
【図９】図８のラケットを反転させた状態を示す部分斜視図である。
【図１０】図１０Ａ及び図１０Ｂは、実施例１に係るフレームの断面図であり、図１０Ｃは、比較例に係るフレームの断面図である。
【図１１】実施例２に係るフレームの断面図である。
【図１２】実施例２に係るラケットのしなり量を測定する実験の説明図である。
【発明を実施するための形態】
【００１６】
以下、本発明の実施の形態について図面を参照しながら具体的に説明する。図１は、本発明の実施の形態に係るバドミントンラケットの外観図であり、図１Ａは、前記バドミントンラケットの背面図、図１Ｂは、前記バドミントンラケットの側面図である。なお、以下の各図では、説明の便宜上、一部の構成を省略している。
【００１７】
図１に示すように、バドミントンラケット（以下、「ラケット」とする）１０は、プレーヤに把持されるグリップ１１と、グリップ１１に一端側が連結されて直線方向に延在する円筒状のシャフト１２と、シャフト１２の他端側に連結された楕円形の環状をなすフレーム１３とを備えている。フレーム１３の内側にはストリング１４が張設されており、このストリング１４によってシャトルが打撃される打球面１５が形成される。シャフト１２及びフレーム１３には、着色等が施されるが、この着色等については後述する。
【００１８】
なお、特許請求の範囲及び本明細書の説明において、特に明示しない限り、図１中矢印にて示すように、ラケット１０の長手方向のうちフレーム１３が位置する側を先端側とし、グリップ１１が位置する側を後端側とする。また、打球面１５に直交する方向を表裏方向とし、図１Ａの紙面手前側（図１Ｂの紙面左側）を裏側とし、その反対側を表側とする。更に、打球面１５上において（即ち打球面１５に沿う平面上において）長手方向に直交する方向を左右方向とし、左側及び右側は、図１Ａに示すように、ラケット１０の裏側を手前にして見たときを基準とする。
【００１９】
ストリング１４によって形成される打球面１５は、表側と裏側との両面に形成される。バドミントンのプレーでは、フォアハンドで打つ場合とバックハンドで打つ場合とがあり、ラケット１０を持つ手側にシャトルが飛んでくるとフォアハンド、ラケット１０を持つ手と反対側にシャトルが飛んでくるとバックハンドで打つことが一般的である。そして、バドミントンのスイングの性質上、フォアハンドとバックハンドとでは、シャトルが打撃される打球面１５が表裏反対になる。
【００２０】
フレーム１３は、長手方向先端側から後端側に向かって順に、トップ部１３ａ、中間部１３ｂ、袖部１３ｃとなる領域を備えている。中間部１３ｂは、フレーム１３の左右幅が最大となる位置Ｗを含む所定幅領域となり、トップ部１３ａは、中間部１３ｂより先端側領域となり、袖部１３ｃは、中間部１３ｂから後端側のシャフト１２との連結位置までの領域となる。トップ部１３ａ、中間部１３ｂ、袖部１３ｃは、特に限定されるものでないが、フレーム１３の長手方向の長さの約１／３の領域となる。
【００２１】
フレーム１３におけるトップ部１３ａから中間部１３ｂの長手方向中央の部位では、外周面に溝部１７が設けられている。この溝部１７の底部において、ストリング１４（図１Ｂでは図示省略）が折り返されて通過することで、フレーム１３の長手方向先端側が床に当たったり擦れたりしても、ストリング１４が床に接触することを防いでいる。
【００２２】
次に、フレーム１３の断面形状について、図２及び図３を参照して以下に説明する。図２は、フレームの形状を説明するための図１のＡ−Ａ線概略断面図であり、図３は、フレームの形状を説明するための図１のＢ−Ｂ線概略断面図である。図２及び図３は、フレーム１３の延在方向に直交する面でフレーム１３を断面視した図である。図２及び図３に示すように、フレーム１３は、所定の肉厚となる中空形状の筒部１８の内部に、所定の発泡材１９を充填して形成されている。なお、発泡材１９の充填は、フレーム１３の一部又は全部において省略してもよい。発泡材１９の材質としては、ウレタンやアクリル系などを例示できる。筒部１８の厚み内の具体的構成については、後述する。
【００２３】
図１に示すフレーム１３のトップ部１３ａ及び中間部１３ｂにおいて、溝部１７が形成された範囲では、図２に示す断面形状又はこれと若干相違するものの略同じとなる断面形状に形成される。また、フレーム１３の中間部１３ｂ及び裾部１３ｃにおいて、溝部１７が形成されないＢ−Ｂ線より先端側の範囲では、図３に示す断面形状又はこれと若干相違するものの略同じとなる断面形状に形成される。
【００２４】
ここで、特許請求の範囲及び本明細書の説明において、特に明示しない限り、ストリング１４（図１Ａ参照）が挿通される挿通孔１３ｄの中心軸位置を境界位置Ｂ１としたときに、当該境界位置Ｂ１から表側に位置するフレーム１３の表出面を表面部２０とする。また、境界位置Ｂ１から裏側に位置するフレーム１３の表出面を裏面部２１とする。更に、図２及び図３の紙面での上下方向を外内方向とし、同図中上側をフレーム１３の外側、同図中下側をフレーム１３の内側とする。なお、境界位置Ｂ１は、フレーム１３の厚さ内において適宜変更してもよい。
【００２５】
図２及び図３の断面図において、フレーム１３の表面部２０と裏面部２１とは非対称形状に形成されている。ここで、非対称とは、境界位置Ｂ１を対称軸として見たときに、表面部２０と裏面部２１とが対称にならないことであり、また、図２及び図３中で左右反転（表裏反転）させた形状と比べて同一形状にならないことを意味する。表面部２０と裏面部２１とは表裏方向の幅が異なり、裏面部２１の幅の方が大きくなっている。
【００２６】
表面部２０は、平面部２５と、この平面部２５の外内両側に連なる湾曲面部２６とを備えた形状に形成される。平面部２５は、外内方向（打球面１５の面方向）に略平行に向けられ、フラット若しくは外内方向中央部が若干膨らむ形状に形成されている。平面部２５は、表面部２０を外内方向に等分に３分割したときに、その３分割された中央部分に対応する領域に形成されている。湾曲面部２６は、断面視で四分円弧状に形成された曲面とされ、平面部２５と反対側の端部が裏側に向けられている。
【００２７】
裏面部２１は、曲面部となる円弧状面部２７と、この円弧状部２７の外内両側に連なる傾斜面部２８とを備えた形状に形成される。円弧状面部２７は、断面視で、外内方向中央部が最も裏方向に膨出するように形成された四分円弧状となる曲面を呈している。円弧状面部２７は、その最も膨出する位置がフレーム１３の外内方向中間より外寄りに設定されている。各傾斜面部２８は、概ねフラットに形成され、表側に向かうに従って相互に離れる方向に延在している。外側及び内側の傾斜面部２８は、円弧状面部２７の外側及び内側端部における接線方向に延在している。
【００２８】
図３の断面となる領域の表面部２０及び裏面部２１において、境界位置Ｂ１を跨ぐフレーム１３の外内両側の周面は、滑らかに湾曲して表裏方向中央が膨出する膨出面３０、３１として形成されている。なお、曲面となる湾曲面部２６、円弧状面部２７、膨出面３０、３１の曲率は、円弧状面部２７、湾曲面部２６、膨出面３０、３１の順に大きく設定されている。図２の断面となる領域では、外側の膨出面３０に対応する領域に溝部１７が形成され、図２の内側の膨出面３１と図３の内側の膨出面３１とは、同様の形状に形成される。
【００２９】
上述した形状によれば、表面部２０と裏面部２１とが非対称形状に形成されるので、打球面１５での打球が表側となる場合と裏側になる場合とでは、発生する応力分布や断面形状の変形量、変形形状が相違するようになる。また、打球面１５での打球が表側となる場合と裏側となる場合とで、フレーム１３のしなり変形等についての断面二次モーメントを変えることができる。これにより、打球面１５の表裏において、打撃時にシャトルが打球面１５に接触する時間や反発性能等を変えることができ、球持ちや弾き性能といった打撃に関する性能を変えることができる。これにより、プレーヤがグリップ１１を持ち替えるだけで、ラケット１０を変更せずに１本のラケット１０で異なる２種類の性能を簡単に発揮でき、プレーヤによって異なる年齢や性別、技術レベル等の嗜好に対して容易に対応することができる。
【００３０】
ここで、バドミントンのプレーを更に検討すると、フォアハンドとバックハンドとの比較において、フォアハンドは、素早くシャトルをコートに打ち落とすためにシャトルの速度が高速となる傾向があり、これに応じてスイング速度が速く、スイング軌跡が長くなる傾向がある。これに反し、バックハンドは、スイング軌跡が短くなる傾向があり、対戦相手の打ち難いコースにシャトルを弾くように打ち返す場合が多くなる。
【００３１】
ところが、従来のバドミントンラケットのように、フレームの表面部と裏面部とが対称形状になると、フォアハンドとバックハンドとで上述のように異なる性質の打球が要求されても、フレームとしては同じ性能を発揮せざるを得なくなる。つまり、フォアハンドに応じた性能にフレーム形状を設計すると、バックハンドの性能が低下してしまい、その反対に、バックハンドに応じた性能にフレーム形状を設計すると、フォアハンドの性能が低下する、という問題がある。
【００３２】
この点、本実施の形態のフレーム１３では、打球面１５の表裏において、異なる球持ちや弾き性能を実現することができ、上述したようにフォアハンドとバックハンドとの両方の性質に応じた性能向上を図ることができる。
【００３３】
また、表面部２０と裏面部２１とが非対称形状に形成されることで、フォアハンドとバックハンドとでフレーム１３が受ける空気抵抗を変えることもでき、これによっても、フォアハンドとバックハンドとの両方の性質に応じた性能向上を図ることが期待できる。
【００３４】
続いて、フレーム１３の材質について、図４を参照して以下に説明する。図４は、フレームの材料を説明するための図１中Ｂ−Ｂ線断面図である。ここで、図４に示すように、フレーム１３の筒部１８は、表面部２０を形成する表面側形成体３５と、裏面部２１を形成する裏面側形成体３６とからなる。表面側形成体３５及び裏面側形成体３６の何れか一方は、何れか他方と異なる材料として撓り抑制部３７を含んで形成されている。本実施の形態では、撓り抑制部３７は、表面側形成体３５における平面部２５及び外内の湾曲面部２６に対応する領域において、厚み内に収まる層として配設されている。
【００３５】
裏面側形成体３６における円弧状面部２７の最も膨出する位置には、線材３８が配設されている。この線材３８は、フレーム１３の曲げ弾性率、硬さを高めるものであり、チタン合金とする他、チタン、ステン、ボロン等の材質を用いることが例示できる。
【００３６】
筒部１８の形成にあっては、樹脂シートの筒を形成してから、当該筒を環状に湾曲させ、その後、金型内に設置してから加熱及び加圧することで、金型に沿った形状にする。樹脂シートの筒の形成は、主として筒部１８を形成するカーボンプリプレグシート（カーボン繊維を主体としたプリプレグ状の繊維強化樹脂（ＦＲＰ）、以下、「主シート」とする）を複数積層してから、円筒状に巻くことによって形成される。この積層において、成形後に平面部２５及び外内の湾曲面部２６に対応する領域に、撓り抑制部３７が配設されるよう、複数の主シートの間に、撓り抑制部３７を形成する帯状のカーボンプリプレグシートを介在させる。また、成形後に円弧状面部２７に対応する領域に線材３８が配設されるよう、当該線材３８を複数の主シートの間に介在させる。これにより、成形後のフレーム１３において、表面側形成体３５の厚み内に撓り抑制部３７が形成され、裏面側形成体３６の厚み内に線材３８が配設される。
【００３７】
ここで、撓り抑制部３７を形成するカーボンプリプレグシートは、成形後に、曲げ強度が１８００ＭＰａ以上２０００ＭＰａ以下、曲げ弾性率が１５５ＧＰａ以上１７５ＧＰａ以下の成形体となる。撓り抑制部３７を形成するカーボンプリプレグシートを複数にする場合には、それらシートの曲げ強度及び曲げ弾性率は、上記範囲内であれば、同じであってもよいし、それぞれ異なっていてもよい。また、主シートは、成形後に、曲げ強度が１６００ＭＰａ以上１８００ＭＰａ未満、曲げ弾性率が１３５ＧＰａ以上１５５ＧＰａ未満の成形体となる。なお、複数の主シートは、上記範囲内であれば、曲げ強度及び曲げ弾性率が同じであってもよいし、それぞれ異なっていてもよい。
【００３８】
ここで、フレーム１３の表裏で同じ材質となる従来のバドミントンラケットでは、上述と同様に、フォアハンドとバックハンドと異なる性質の打球が要求されても、フレームとしては同じ性能を発揮せざるを得なくなる。この点、フレーム１３に撓り抑制部３７や線材３８を設けることで、打球面１５での打球が表側となる場合と裏側になる場合とで、フレーム１３の曲げ強度及び曲げ弾性率が変わり、フレーム１３のしなり量を変えることができる。従って、これによっても、打球面１５の表裏において、上述したような球持ちや弾き性能といった打撃に関する性能を変えることができる。この結果、ラケット１０を変更せずに１本のラケット１０で異なる２種類の性能を簡単に発揮できる上、フォアハンドとバックハンドとの両方の性質に応じた性能向上を図ることができる。
【００３９】
また、フレーム１３の表面部２０及び裏面部２１が非対称となる形状と、撓り抑制部３７を設けることとの組み合わせによって、打撃に関する性能についてバリエーションを相乗的に増やすことができる。
【００４０】
次いで、シャフト１２及びフレーム１３の着色について、図５〜図９を参照して以下に説明する。図５〜図９は、それらの着色を説明するための図であり、図５は、ラケットの部分背面図、図６は、ラケットの部分側面図、図７は、図６のラケットを反転させた状態を示す部分側面図である。また、図８は、部分斜視図であり、図９は、図８のラケットを反転させた状態を示す部分斜視図である。
【００４１】
シャフト１２及びフレーム１３では、第１着色部４１と、第２着色部４２と、これら第１着色部４１及び第２着色部４２以外の殆どの領域となる主着色部４３との３色に主として色分けされている。従って、第１着色部４１及び第２着色部４２は、シャフト１２及びフレーム１３において柄や模様としても表出される。図５〜図９において、図示の都合上、網点を施した領域が第１着色部４１、黒塗りとした領域が第２着色部４２、白塗り（紙面の色）とした領域が主着色部４３とする。なお、実際の着色は、各着色部４１〜４３が異なる色であればよく、第１着色部４１を橙色系、第２着色部４２を緑色系、主着色部４３を黒色系とすることが例示できる。
【００４２】
第１着色部４１は、本実施の形態では、シャフト１２及びフレーム１３の５箇所領域に形成されている。かかる５箇所領域を、説明の便宜上、第１−１着色部４１ａ〜第１−５着色部４１ｅとすると、図５のようにラケット１０を裏側から見たときに、それらの形成領域は、下記のようになる。
第１−１着色部４１ａ：シャフト１２の右側面
第１−２着色部４１ｂ：フレーム１３の右半部における位置Ｗより後方の外側面
第１−３着色部４１ｃ：フレーム１３の右半部における位置Ｗより先方の外側面
第１−４着色部４１ｄ：フレーム１３の左半部における位置Ｗより後方の内側面
第１−５着色部４１ｅ：フレーム１３の左半部における位置Ｗより先方の内側面
【００４３】
第１−１着色部４１ａは、シャフト１２の左右方向中央位置より左側にはみ出ず、当該中央位置より右側に収まる範囲内に形成されている。本実施の形態では、第１−１着色部４１ａは、シャフト１２の先端寄り及び後端寄りに形成され、それらの間に主着色部４３が表れるように設けられている。また、第１−１着色部４１ａは、後端寄りに表出する部分の方が先端寄りに表出する部分より長手方向長さが長く形成されている。
【００４４】
第１−２着色部４１ｂ及び第１−３着色部４１ｃは、フレーム１３の右半部、言い換えると、シャフト１２より一方側となる右側に設けられている。第１−２着色部４１ｂ及び第１−３着色部４１ｃは、フレーム１３の外内方向中央位置より内側にはみ出ず、当該中央位置より外側に収まる範囲内に形成されている。本実施の形態では、第１−２着色部４１ｂ及び第１−３着色部４１ｃは、フレーム１３の延在方向に延在し、それらの間に主着色部４３が表れるように設けられている。また、第１−２着色部４１ｂの後端とフレーム１３の最後端との間、第１−３着色部４１ｃの先端とフレーム１３の最先端との間にも主着色部４３が表れるように設けられている。
【００４５】
第１−４着色部４１ｄ及び第１−５着色部４１ｅは、フレーム１３の外内方向中央位置より外側にはみ出ず、当該中央位置より内側に収まる範囲内に形成されている。本実施の形態では、第１−４着色部４１ｄ及び第１−５着色部４１ｅは、フレーム１３の延在方向に延在し、それらの間に主着色部４３が表れるように設けられている。また、第１−４着色部４１ｄは、３分割して形成され、それらの間に主着色部４３が表れ、第１−４着色部４１ｄの後端とフレーム１３の最後端との間にも主着色部４３が表れるように設けられている。更に、第１−３着色部４１ｃの先端とフレーム１３の最先端との間に、主着色部４３が表れるように設けられている。
【００４６】
本実施の形態の第２着色部４２は、シャフト１２の左右方向中央位置（軸中心位置）を対称軸Ｓとして第１着色部４１と対称となる領域に形成されている。従って、第２着色部４２も５箇所領域に形成され、かかる５箇所領域を、説明の便宜上、第２−１着色部４２ａ〜第２−５着色部４２ｅとすると、それらの形成領域は、第１−１着色部４１ａ〜第１−５着色部４１ｅと対称軸Ｓに対して対称にそれぞれ形成される。言い換えると、図１に示した状態からラケット１０を表裏反転させると、反転前に第１−１着色部４１ａ〜第１−５着色部４１ｅが形成された領域に、第２−１着色部４２ａ〜第２−５着色部４２ｅが配設されるようになる。よって、ここでは、第２−１着色部４２ａ〜第２−５着色部４２ｅの形成領域の説明を省略する。
【００４７】
打球面１５と非平行且つ非直交となる所定の角度でラケット１０を見たとき、例えば、図８に示すようにラケット１０を見たときときに、プレーヤに対し、シャフト１２及びフレーム１３の約半分領域において第１着色部４１が表出するようになる。このように見えつつ、残りの約半分領域において主着色部４３が表出するように見え、第２着色部は隠れる状態となる。従って、プレーヤは、第１着色部４１と主着色部４３との２色のラケット１０に見え、このとき、フレーム１３及び打球面１５における図８の紙面で下側が表面であり、上側が裏面であると識別することができる。
【００４８】
一方、図８に示す状態から、グリップ１１を持ち替えてラケット１０をシャフト１２の軸回りに１８０°回転する（不図示の打球面を反転する）と、図９に示す状態になる。このとき、プレーヤは、シャフト１２及びフレーム１３の約半分領域において第２着色部４２が表出するように見えつつ、残りの約半分領域において主着色部４３が表出するように見え、第１着色部は隠れる状態となる。従って、プレーヤは、第２着色部４２と主着色部４３との２色のラケット１０に見え、このとき、フレーム１３及び打球面１５における図９の紙面で下側が裏面であり、上側が表面であると識別することができる。
【００４９】
なお、図５に示した状態から対称軸Ｓの軸回りの±９０°回転させると、図６及び図７に示した状態となり、第１着色部４１及び第２着色部４２の何れか一方が隠れた状態となる。これらの何れか一方が隠れた状態となる角度は、図６及び図７に示した状態から対称軸Ｓの軸回りに±２０°回転させた範囲とすることが好ましい。
【００５０】
図５〜図９にて図示した第１着色部４１及び第２着色部４２は、例示に過ぎないものであり、上述のように表裏の識別を行える限りにおいて種々の変更が可能である。例えば、第１着色部４１及び第２着色部４２の上述した各５箇所領域は、それぞれの着色部４１、４２において、少なくとも１つあればよく、また、各５箇所領域内での形状も図示例に限定されない。また、例えば、第１−２着色部４１ｂ及び第１−３着色部４１ｃを繋げたり、第１−４着色部４１ｄ及び第１−５着色部４１ｅを繋げて形成してもよい。
【００５１】
更に、第１着色部４１及び第２着色部４２の色は、単色とする他、類似した色を複数用いて柄のように表出するようにしてもよい。また、プレーヤが所定角度で見て第１着色部４１及び第２着色部４２が隠れるときに、それらが完全に隠れる必要はなく、意図的に一部がはみ出るようにするデザインを採用してもよい。更に、各着色部４１〜４３において、文字やマーク、ロゴ、模様、柄等が施されることを妨げるものでない。また、フレーム１３における各着色部４１〜４３は、グロメットを用いる場合には、当該グロメットを着色するようにしてもよい。
【００５２】
以上のように、ラケット１０に各着色部４１〜４３を設けたので、第１着色部４１及び第２着色部４２が見えるか否かによって、プレーヤが打球面１５の表裏を簡単に識別することができ、何れの打球面１５で打球するかを容易に選択することができる。従って、上述のように打球面１５の表裏で打撃に関する性能（球持ち性能や弾き性能）が異なる場合、プレーヤが異なる性能をプレー中やラリー中において容易に使い分けることができる。
【００５３】
また、図８の状態と図９の状態とでラケット１０のデザインを大きく変えることができ、１本のラケット１０で異なる２種類のデザインを簡単に表すことができる。これにより、プレーヤから見たラケット１０の外観や印象を大きく変化させることができ、プレーヤのデザインに関する嗜好が変わっても、これに容易に対応することができる。なお、上述のプレーヤからの見え方は、ラケット１０を持つ手（右手もしくは左手）によっても異なるようになる。
【００５４】
続いて、上記実施の形態に係るラケットについての球持ち及び弾き性能を評価するために行った解析（シミュレーション）について、図１０を参照して説明する。図１０Ａ及び図１０Ｂは、実施例１に係るフレームの断面図であり、図１０Ｃは、比較例に係るフレームの断面図である。この解析において、実施例１のラケットは、上記実施の形態で図示したものと同様の形状をなし、図１０Ａ及び図１０Ｂの二点鎖線で示す断面形状となるフレーム１３を備えたラケットとした。但し、実施例１のラケットの材質は、上述した撓り抑制部３７及び線材３８（図５参照）を用いずに、上述した主シートによって成形したフレーム１３とした。比較例のラケットは、フレーム１３’の断面形状を図１０Ｃの二点鎖線で示す形状に変更した点を除き、実施例１と同じ構成、条件とした。比較例のフレーム１３’は、断面視で楕円に類似した表裏対称形状となっており、楕円に対し図１０Ｃでの上半分だけを上下幅が小さくなるよう押し潰したような形状とした。
【００５５】
実施例１のラケットと比較例のラケットとを用いて、打球時におけるフレーム１３、１３’の断面変位と応力分布の解析を行った。断面変位のシミュレーションでは、打球面のスイートスポットに所定の相対速度でシャトルが打撃されたものとの仮定で荷重Ｆを加えた際の断面形状を求めた。実施例１のラケットでは、打球面の表側つまり図１０Ａ中左側でシャトルを打撃した場合と、打球面の裏側つまり図１０Ｂ中右側でシャトルを打撃した場合との両方でシミュレーションを行った。比較例のラケットでは、打球面の一方の面となる図１０Ｃ中左側でシャトルを打撃した場合のシミュレーションを行った。図１０Ａ〜図１０Ｃにおいて、それぞれの打撃で最大変位となった際の断面形状のシミュレーション結果を実線で示し、比較例の最大変位の値を１００とした実施例１での最大変位の相対値を下記の表１に示す。
【００５６】
また、同様に打撃した際のフレーム１３、１３’の応力分布も求め、かかる応力が最も大きくなる最大応力を求めた。比較例の最大応力の値を１００とした実施例１での最大応力の相対値を下記の表１に示す。
【００５７】
【表１】
2016195035.tif 000003
【００５８】
表１の結果から理解できるように、表側で打球する方が裏側で打球するよりも、最大応力が大きく最大変位も大きくなっている。これにより、打球面の表裏において、球持ち性能や弾き性能について性能の違いをプレーヤに感じさせることができる。
【００５９】
続いて、上記実施の形態に係るラケットについてのしなり性能を評価するために行った実験について説明する。この実験では、実施例２として、図１１に示す断面形状となるフレームを備えたラケットを製作した。図１１は、実施例２に係るフレームの断面図である。実施例２のフレーム１３は、表裏対称形状であり、裏側も表側も上記実施の形態の表面部２０（図２参照）と同様の形状に形成した。また、実施例２のフレーム１３は、上述した撓り抑制部３７を含む構成としたが、線材３８、発泡材１９は用いることなく成形した。また、撓り抑制部３７は、曲げ強度が１８００ＭＰａ以上２０００ＭＰａ以下、曲げ弾性率が１５５ＧＰａ以上１７５ＧＰａ以下に設定し、撓り抑制部３７以外の主シートで形成される部分は、曲げ強度が１６００ＭＰａ以上１８００ＭＰａ未満、曲げ弾性率が１３５ＧＰａ以上１５５ＧＰａ未満に設定した。
【００６０】
図１２は、実施例２に係るラケットのしなり量を測定する実験の説明図である。図１２に示すように、本実験では、ラケット１０のグリップ１１を固定し、フレーム１３の先端側に所定の荷重Ｆを加え、当該荷重Ｆを加える前に対してフレーム１３の先端における表裏方向の変形量をしなり量として測定した。この測定は、フレーム１３の表側から荷重Ｆを加える場合と、裏側から荷重Ｆを加える場合との両方について行った。この測定において、表側から荷重Ｆを加えた際のしなり量の値を１００とした場合（図１２Ａ参照）、裏側から荷重Ｆを加えた際のしなり量の相対値は１０２〜１０５（図１２Ｂ参照）となった。
【００６１】
上記測定結果から理解できるように、撓り抑制部３７が荷重Ｆの加わる方（シャトルを打撃する方）に配置されると、その反対側に撓り抑制部３７が配置される場合に比べ、しなり量が小さくなる。従って、表側で打球した方が、剛性の高い撓り抑制部３７の作用によって打球時にシャトルを潰すことでパワー向上と球持ちを実現することができる。
【００６２】
なお、本発明は上記実施の形態に限定されず、種々変更して実施することが可能である。上記実施の形態において、添付図面に図示されている大きさや形状、方向などについては、これに限定されず、本発明の効果を発揮する範囲内で適宜変更することが可能である。その他、本発明の目的の範囲を逸脱しない限りにおいて適宜変更して実施することが可能である。
【００６３】
例えば、ラケット１０における表裏の区別は、上述の実施の形態とは反対にしてもよく、打球面１５に直交する方向において、何れか一方を表側とし、その反対側を裏側とすればよい。
【００６４】
また、フレーム１３の延在方向に直交する面で断面視した形状は、表面部２０と裏面部２１とが非対称形状になる限りにおいて、変更してもよい。例えば、フレーム１３の断面視において、表裏方向に突出する部分が複数箇所形成されていたり、凹んだ部分を形成したりしてもよい。
【００６５】
また、撓り抑制部３７の形成位置、形成範囲、設置数は、図４に示した構成に限られるものでなく、種々の変更が可能である。例えば、撓り抑制部３７を外内方向で分割して設けたり、湾曲面部２６に設けずに平面部２５だけに設けたり、筒部１８の厚み方向に複数層設けたりしてもよい。
【００６６】
また、撓り抑制部３７及び線材３８は、フレーム１３の延在方向の全てに連続して設けてもよいし、当該延在方向の一部に設けてもよい。
【００６７】
また、フレーム１３において撓み抑制部３７及び線材３８を省略し、表面側形成体３５及び裏面側形成体３６とで同じ材料によって形成してもよい。また、各着色部４１〜４３のように着色を施さないデザインとしてもよい。
【産業上の利用可能性】
【００６８】
本発明は、打球面の表側と裏側とで異なる性能を簡単に得ることができるバドミントンラケットに関する。【００６９】
本出願は、２０１５年６月５日出願の特願２０１５−１１４８１１に基づく。この内容は、全てここに含めておく。
【図１】
2016195035.tif 000004
【図２】
2016195035.tif 000005
【図３】
2016195035.tif 000006
【図４】
2016195035.tif 000007
【図５】
2016195035.tif 000008
【図６】
2016195035.tif 000009
【図７】
2016195035.tif 000010
【図８】
2016195035.tif 000011
【図９】
2016195035.tif 000012
【図１０】
2016195035.tif 000013
【図１１】
2016195035.tif 000014
【図１２】
2016195035.tif 000015
【国際調査報告】
2016195035.tif 000016
2016195035.tif 000017
2016195035.tif 000018
2016195035.tif 000019